(57)【要約】【課題】  ノック操作時において、段部であるインキ収容管の先端縁がレフィールスプリング先端に形成された座巻部の最小径部や、更には先口の内部に形成されたレフィールスプリングの先端が係止する段部に引っかかることがなく、ノック操作のフィーリングが良好なノック式ボールペンを提供する。【解決手段】  レフィール３０がレフィールスプリング４０にて尾端側に弾発された状態で軸筒１０内に収容され、ノック操作によりチップ３３の先端が先口２０の先端開口２１から突出して筆記可能になるノック式ボールペンにおいて、レフィールスプリングの前端に先方が広がったテーパー状の座巻部４１を形成してこの座巻部の先端を先口内の段部２２に係止させ、チップが先口内に没入した待機状態にあるときは、インキ収容管３１の先端縁３１ａが座巻部の最小径部４１ａり前方に位置するようにする。また、インキ収容管の先端縁が先口内の段部より前方に位置するようにする。【選択図】  図１
2006264095.tif 000002
【特許請求の範囲】
【請求項１】
先端部にボールを回転自由に抱持したチップがインキ収容管の先端開口に圧入されたレフィールが、軸筒の先端に配置された先口の内部に形成された段部とレフィールの係止突部の間に介装されたレフィールスプリングにて尾端側に弾発された状態で軸筒内に収容され、ノック操作により該チップの先端が先口の先端開口から突出して筆記可能になるノック式ボールペンにおいて、
前記レフィールスプリングの前端に先方が広がったテーパー状の座巻部が形成されて該座巻部の先端が先口内の段部に係止し、チップが先口内に没入した待機状態にあるときは、チップが圧入されたインキ収容管の先端縁が該座巻部の最小径部より前方に位置することを特徴とするノック式ボールペン。
【請求項２】
先端部にボールを回転自由に抱持したチップがインキ収容管の先端開口に圧入されたレフィールが、軸筒の先端に配置された先口の内部に形成された段部とレフィールの係止突部の間に介装されたレフィールスプリングにて尾端側に弾発された状態で軸筒内に収容され、ノック操作により該チップの先端が先口の先端開口から突出して筆記可能になるノック式ボールペンにおいて、
前記チップが先口内に没入した待機状態にあるときは、チップが圧入されたインキ収容管の先端縁が該先口内の段部より前方に位置することを特徴とするノック式ボールペン。
【発明の詳細な説明】
【技術分野】
【０００１】
本発明は、ノック操作により軸筒内に収容されたレフィールが前進し、レフィール先端のチップが先口の先端開口から突出して筆記可能になるノック式のボールペンに関するものである。
【背景技術】
【０００２】
ノック式ボールペン、ことに油性インキを使用するノック式ボールペンは、先端部にボールを回転自由に抱持したチップがインキ収容管に圧入されたレフィールがレフィールスプリングで尾端側に弾発された状態で軸筒内に前後動可能に収容されており、ノック操作によりチップの先端部が先口の先端開口から突出して筆記可能になるが、待機時においてチップが先口内に没入しているのでキャップが不要であって使いやすいこともあって、数多く実用化されている。
【特許文献１】特開２００３−１５４７８７公報
【発明の開示】
【発明が解決しようとする課題】
【０００３】
図２はノック式ボールペンの従来例を示すが、レフィール３０の先端部分はコイルスプリングであるレフィールスプリング４０の内部に挿入されており、このレフィールスプリング４０によりレフィー３０は尾端側に弾発されている。レフィールスプリング４０の先端は先口２０の内部に形成された段部２２に係止しているが、レフィールスプリング４０の先端部は先方が広がったテーパー状の座巻部４１になっている。したがって、レフィール３０が前進するとき、座巻部４１の最小径部４１ａとインキ収容管３１との隙間は極く僅かになる。一方、チップ３３はインキ収容管３１の先端開口部に圧入されているので、インキ収容管３１の先端縁３１ａは段部となる。このため、ノック操作によりレフィール３０が前進するとき、少し横振れしながら前進すると段部であるインキ収容３１の先端縁３１ａがレフィールスプリング４０先端の座巻部４１の最小径部４１ａに接触したり引っかかることがある。したがって、ノック操作をスムーズに行うことができず、ノック操作のフィーリングが著しく阻害される。
また、座巻部４１の最小径部４１ａをインキ収容管３１の先端縁３１ａを通過しても、それ以降の前進時において横振れが大きいときはインキ収容管３１の先端縁３１ａが先口２０内部の段部２２に引っかかることがあり、この場合も、ノック操作のフィーリングが著しく阻害される。
【０００４】
そこで本発明は、ノック操作時において、段部であるインキ収容管の先端縁がレフィールスプリング先端に形成された座巻部の最小径部や、更には先口の内部に形成されたレフィールスプリングの先端が係止する段部に引っかかることがなく、ノック操作のフィーリングが良好なノック式ボールペンを提供することを目的とする。
【課題を解決するための手段】
【０００５】
かかる目的を達成するために、請求項１の発明は、ボールを回転自由に抱持したチップがインキ収容管の先端開口に圧入されたレフィールが、軸筒の先端に配置された先口の内部に形成された段部とレフィールの係止突部の間に介装されたレフィールスプリングにて尾端側に弾発された状態で軸筒内に収容され、ノック操作によりチップの先端が先口の先端開口から突出して筆記可能になるノック式ボールペンにおいて、レフィールスプリングの前端に先方が広がったテーパー状の座巻部を形成してこの座巻部の先端を先口内の段部に係止させ、チップが先口内に没入した待機状態にあるときは、チップが圧入されたインキ収容管の先端縁が座巻部の最小径部より前方に位置するようにする。
【０００６】
また、請求項２の発明は、前記のノック式ボールペンにおいて、チップが先口内に没入した待機状態にあるときは、チップが圧入されたインキ収容管の先端縁が先口内の段部より前方に位置するようにする。
【発明の効果】
【０００７】
請求項１の発明においては、チップが先口内に没入した待機状態にあるときにおいても、チップが圧入されたインキ収容管の先端縁が座巻部の最小径部より前方に位置するので、ノック操作によりレフィールが前進するとき、段部であるインキ収容管の先端縁が座巻部の最小径部に接触したり引っかかることがなく、ノック操作時において良好なフィーリングを得ることができる。
【０００８】
また、請求項２の発明は、チップが先口内に没入した待機状態にあるときに、インキ収容管の先端縁がレフィールスプリングの前端が係止する先口内の段部より前方に位置するので、ノック操作によりレフィールが前進するとき、インキ収容管の先端縁は座巻部の最小径部のみでなく、先口内の段部にも引っかかることがなく、ノック操作時において更に良好なフィーリングを得ることができる。
【発明を実施するための最良の形態】
【０００９】
以下、図面に基づいて本発明の実施の形態を説明する。図１において、合成樹脂で成形された軸筒１０の先端部に先端開口２１を有する円錐状の先口２０が螺着されており、軸筒１０の尾端部にはクリップ５１が一体に成形された尾端部材５０が接続されている。先口２０の内部には、レフィールスプリング４０の前端が係止する段部２２が形成されている。軸筒１０の先端側の外周には、シリコンゴムなどの軟弾性樹脂からなるグリッパー１１が嵌め込まれている。
【００１０】
軸筒１０内にボールペンのレフィール３０が収容されており、レフィール３０尾端部は回転子６０に入り込むようにして当接している。尾端部材５０の尾端開口からノック部材７０が突出しており、このノック部材７０と回転子６０、および内面にカム溝が形成された尾端部材５０でレフィール出没メカを構成している。このレフィール出没メカは周知のダブルノック式出没機構であり、ノック操作によりノック部材７０を押圧すると回転子６０に回転力を付与しながら前進させ、回転子６０が尾端部材５０のカム溝のカム面に係止すると、先口２０の先端開口２１から突出したチップ３３の先端で筆記可能になる。この状態から再びノック操作を行うと、回転子６０と尾端部材５０のカム溝のカム面との係止が解除され、チップ３３は先口２０内に没入するが、出没機構は回転子によるダブルノック式に限られるものではない。
【００１１】
レフィール３０のインキ収容管３１は合成樹脂のパイプからなり、油性インキが充填されている。また、インキ収容管３１の中腹部には、パイプを少し圧壊することにより係止突部３２が形成されている。チップ３３はステンレスにより砲弾型に成形されており先端のボールハウス内に例えば超硬合金からなる外径が０．５ｍｍのボール３４が回転自由に抱持されている。このチップ３３の後端部がインキ収容管３１の先端開口に圧入されている。したがって、インキ収容管３１の先端縁３１ａは高さがパイプの肉厚に等しい円環状の段部になっている。
【００１２】
レフィールスプリング４０はコイルスプリングであり、インキ収容管３１の係止突部３２と先口２０内の段部２２の間に介装されており、インキ収容管３１の前端部がレフィールスプリング４０内に挿入されたてレフィール３０を尾端側に弾発している。段部２２に係止するレフィールスプリング４０の先端部は先方が広がったテーパー状の座巻部４１になっている。したがって、レフィール３０が前進するとき、座巻部４１の最小径部４１ａとインキ収容管３１との隙間は極く僅かになる。ここで、チップ３３が先口２０内に没入している待機状態において、インキ収容管３１の先端縁３１ａは、レフィールスプリング４０の座巻部４１の最小径部４１ａよりも前方に位置しており、更に好ましくは、先口２０内の段部２２よりも前方に位置している。このとき、インキ収容管３１の先端縁３１ａと先口２０内の段部２２との距離Ｘは０．５ｍｍ程度である。
【００１３】
しかして、チップ３３が先口２０内に没入している待機状態からノック操作を行うと、レフィール３０が前進してチップ３３の先端が先口２０の先端開口２１から突出して筆記可能になるが、チップ３３の尾端部が圧入されたインキ収容管３１の先端縁３１ａが座巻部４１の最小径部４１ａより前方に位置するので、ノック操作によりレフィール３０が前進するとき、レフィール３０が横に振れても段部であるインキ収容管３１の先端縁３１ａが座巻部４１の最小径部４１ａに接触したり引っかかることがなく、ノック操作時において良好なフィーリングを得ることができる。
また、チップ３３が先口２０内に没入した待機状態にあるときに、インキ収容管３１の先端縁３１ａがレフィールスプリング４０の前端が係止する先口２０内の段部２２より前方に位置するするようにすれば、ノック操作によりレフィール３０が前進するとき、インキ収容管３１の先端縁３１ａは座巻部４１の最小径部４１ａのみでなく、先口２０内の段部２２にも引っかかることがなく、ノック操作時において更に良好なフィーリングを得ることができる。
【図面の簡単な説明】
【００１４】
【図１】本発明実施例の断面図である。
【図２】従来例の断面図である。
【符号の説明】
【００１５】
１０    軸筒
１１    グリッパー
２０    先口
２１    先端開口
２２    段部
３０    レフィール
３１    インキ収容管
３１ａ  インキ収容管の先端縁
３２    係止突部
３３    チップ
３４    ボール
４０    レフィールスプリング
４１    座巻部
４１ａ  座巻部の最小径部
５０    尾端部材
５１    クリップ
６０    ノック部材
７０    回転子
【図１】
2006264095.tif 000003
【図２】
2006264095.tif 000004